(57)【要約】      （修正有）【課題】ゴルフバッグを上バッグユニットと下バッグユニットとに分けて伸縮可能な構成にし、且つ上バッグユニットの下バッグユニットに対する相対高さを固定できるゴルフバッグを提供する。【解決手段】ゴルフバッグは、下バッグユニット１と、下バッグユニット１に対して上下方向において相対移動可能に取り付けられ、下バッグユニット１と共に収容空間を囲んでいる上バッグユニット２と、上バッグユニットの開口を覆う状態と覆わない状態とに切り替えられるように上バッグユニットに取り付けられた蓋ユニット３と、下バッグユニット１に取り付けられ、且つ、操作されると上バッグユニット２を下バッグユニット１と係合させて上バッグユニット２の下バッグユニット１に対する上下方向における相対移動を制限することができるように構成された係合ユニット４と、を備える。【選択図】図２
0003227996.tif 000002
【実用新案登録請求の範囲】
【請求項１】
上方に向かって開口する第１の開口が形成されている下バッグユニットと、
前記下バッグユニットに対して上下方向において相対移動可能に、前記第１の開口内に挿しこまれるように前記下バッグユニットに取り付けられ、前記下バッグユニットと共に収容空間を囲み、且つ、上方に向かって開口する第２の開口が形成されている上バッグユニットと、
前記上バッグユニットの開口を覆う状態と覆わない状態とに切り替えられるように前記上バッグユニットに取り付けられた蓋ユニットと、
前記下バッグユニットに取り付けられ、且つ、操作されると前記上バッグユニットを前記下バッグユニットと係合させて前記上バッグユニットの前記下バッグユニットに対する前記上下方向における相対移動を制限することができるように構成された係合ユニットと、
を備えることを特徴とするゴルフバッグ。
【請求項２】
前記係合ユニットは、前記下バッグユニットの前記収容空間の反対側にある外周面に固定されていると共に、所定の摺動方向に沿って延伸する摺動溝が形成されている固定部と、
前記摺動方向に沿って移動できるように前記摺動溝に取り付けられているスイッチと、
前記スイッチの前記摺動方向に沿った移動に連動して前記収容空間の側へ移動して前記上バッグユニットに当接することにより、前記上バッグユニットの前記下バッグユニットに対する前記上下方向における相対移動を制限することができるように構成された係合ブロックと、
を有していることを特徴とする請求項１に記載のゴルフバッグ。
【請求項３】
前記係合ユニットの前記固定部は、
前記下バッグユニットの前記収容空間の反対側にある外周面に固定されている環状枠と、
前記環状枠から前記収容空間の反対側である外側へ突起する設置座と、を有するように形成されており、
前記摺動溝は前記設置座に形成されており、
更に、前記係合ユニットの前記固定部には、前記設置座に対応する箇所において、前記収容空間の側に向かって開口する係合開口を有すると共に、該係合開口から前記摺動溝まで延伸する係合孔が形成されており、
前記係合ブロックは前記係合孔内に配置され、且つ、前記スイッチの前記摺動方向に沿った移動に連動して、前記係合孔内において前記収容空間の側へ移動し、前記係合開口から突出して前記上バッグユニットに当接することにより、前記上バッグユニットの前記下バッグユニットに対する前記上下方向における相対移動を制限することができるように構成されていることを特徴とする請求項２に記載のゴルフバッグ。
【請求項４】
前記スイッチには、前記摺動方向に斜交する斜面になっている作動面が形成されており、
前記係合ブロックには、前記作動面に当接し、前記スイッチが前記摺動方向に沿って移動する際、前記作動面により押し動かされて前記係合開口の側へ移動する受動面が形成されていることを特徴とする請求項３に記載のゴルフバッグ。
【請求項５】
前記係合ユニットの前記固定部は、
前記環状枠に固定されているグリップが更に形成されていることを特徴とする請求項３または請求項４に記載のゴルフバッグ。
【請求項６】
前記係合ユニットの前記固定部には、
前記環状枠から前記収容空間の反対側である外側へ突起する複数の前記設置座が形成されており、
各前記設置座には、いずれも１つの前記摺動溝が形成されており、
更に、前記係合ユニットの前記環状枠の各前記設置座に対応する箇所において、それぞれ前記収容空間の側に向かって開口する複数の前記係合開口を有すると共に、該係合開口から前記摺動溝まで延伸する複数の前記係合孔が形成されており、
各前記係合孔内にはそれぞれ１つの前記係合ブロックが配置され、対応する前記スイッチに連動して、前記係合孔内において前記収容空間の側へ移動し、前記係合開口から突出して前記上バッグユニットに当接することにより、前記上バッグユニットの前記下バッグユニットに対する前記上下方向における相対移動を制限することができるように構成されていることを特徴とする請求項３〜請求項５のいずれか１項に記載のゴルフバッグ。
【考案の詳細な説明】
【技術分野】
【０００１】
本考案は、ゴルフクラブの収納バッグに関し、特に伸縮可能なゴルフバッグに関する。
【背景技術】
【０００２】
ゴルフバッグは一度に多くのゴルフクラブを入れるために用いられるゴルフ用品であり、ゴルフクラブが外部の物品と接触して傷つくのを避けることも出来る。一般的なゴルフバッグはバッグユニットや蓋ユニットから形成されており、ゴルフクラブを取り出す際、使用者はまず、蓋ユニットを取り外してバッグユニットを開けた状態にしてから、ゴルフクラブをバッグユニットの中から取り出すようになっている。しかしゴルフクラブは種類により長さが異なるため、長いゴルフクラブは簡単に取り出すことができるが、短いゴルフクラブを取り出す際に、バッグユニットの中を手探りで探さなければならず、使用上の利便性に関しては改善の余地が残されている。
【０００３】
また、図１には上記問題点を解決しようとする従来のゴルフバッグ７の一例が示されている。図１は該従来のゴルフバッグ７の構成が示される側面図である。該従来のゴルフバッグ７は図１に示されるように、下バッグユニット７１と、伸縮可能であり下バックユニット７１の上部に取り付けられている上バッグユニット７２と、上バッグユニット７２の開口を覆う状態と覆わない状態とに切り替えられるように上バッグユニット７２に取り付けられた蓋ユニット７３と、を備える。この構成により、上バッグユニット７２を下バッグユニット７１に対して最低の位置まで下げると、ゴルフバッグ７内に収容されるゴルフクラブ８がすべて露出し取り出しやすくなる。一方、使用者の好みに応じて上バッグユニット７２の下バッグユニット７１に対する相対位置を調整することができない欠点はある。
【考案の概要】
【考案が解決しようとする課題】
【０００４】
本考案は、上記使用上の利便性を改善するゴルフバッグを提供することを課題とする。具体的には、本考案はゴルフバッグを上バッグユニットと下バッグユニットとに分けて伸縮可能な構成にし、且つ上バッグユニットの下バッグユニットに対する相対高さを固定できるゴルフバッグを提供することを課題とする。
【課題を解決するための手段】
【０００５】
本考案のゴルフバッグは、上方に向かって開口する第１の開口が形成されている下バッグユニットと、
前記下バッグユニットに対して上下方向において相対移動可能に、前記第１の開口内に挿しこまれるように前記下バッグユニットに取り付けられ、前記下バッグユニットと共に収容空間を囲み、且つ、上方に向かって開口する第２の開口が形成されている上バッグユニットと、
前記上バッグユニットの開口を覆う状態と覆わない状態とに切り替えられるように前記上バッグユニットに取り付けられた蓋ユニットと、
前記下バッグユニットに取り付けられ、且つ、操作されると前記上バッグユニットを前記下バッグユニットと係合させて前記上バッグユニットの前記下バッグユニットに対する前記上下方向における相対移動を制限することができるように構成された係合ユニットと、
を備える。
【考案の効果】
【０００６】
上記のように、本考案のゴルフバッグは、下バッグユニットに取り付けられ、上バッググユニットの下バッグユニットに対する上下方向における相対移動を制限できる機能を持った係合ユニットによって、上バッグユニットを一定の高さに制限することにより、使用者がゴルフクラブの長さに応じて、上バッグユニットを適切な高さに一旦固定することができるようになり、上バッグユニットを手で支えなくても、上バッグユニットや蓋ユニットが下に落下して収容空間内のゴルフクラブに当たったりする衝撃を避けることができ、収容されるゴルフクラブに更なる保護を提供することが出来る。
【図面の簡単な説明】
【０００７】
【図１】従来のゴルフバッグの一例の構成を示す側面図である。
【図２】本考案のゴルフバッグの実施形態を示す側面図である。
【図３】同実施形態を示す平面図である。
【図４】同実施形態を示す断面図である。
【図５】同実施形態を示す平面図である。
【考案を実施するための形態】
【０００８】
本考案を詳細に説明する前に、以下の説明において、同じ機能を発揮し且つ似たような構造を持つ部品は同様の番号で表示することを理解されたい。
【０００９】
図２から図５に本考案のゴルフバッグの実施形態が示されている。
【００１０】
図２は本考案のゴルフバッグの実施形態を示す側面図であり、図示のように、本考案のゴルフバッグは、上方に向かって開口する第１の開口が形成されている下バッグユニット１と、下バッグユニット１に対して上下方向において相対移動可能に、第１の開口内に挿しこまれるように下バッグユニット１に取り付けられ、下バッグユニット１と共にゴルフクラブを収容するための収容空間６を囲み、且つ、上方に向かって開口する第２の開口が形成されている上バッグユニット２と、線ファスナーにより上バッグユニット２の開口を覆う状態と覆わない状態とに切り替えられるように上バッグユニット２の最上部に取り付けられた蓋ユニット３と、下バッグユニット１に取り付けられ、且つ、操作されると上バッグユニット２を下バッグユニット１と係合させて上バッグユニット２の下バッグユニット１に対する上下方向における相対移動を制限することができるように構成された係合ユニット４と、を備えている。
【００１１】
使用者が上バッグユニット２を操作することで上バッグユニット２は下バッグユニット１に対して伸縮し、上バッグユニット２の高さや収容空間６の容積を変えることができる。
蓋ユニット３は、線ファスナーにより、上バッグユニット２の最上部に取り付けられており、上バッグユニット２の最上部にある開口を覆って収容空間６を閉じることができる。使用者は線ファスナーを操作することで、蓋ユニット３を開けることができ、収容空間６がむき出しになり、使用者はゴルフクラブを取り出したり置いたりできる。
【００１２】
係合ユニット４は、下バッグユニット１の収容空間６の反対側にある外周面に固定されていると共に、所定の摺動方向に沿って延伸する摺動溝４１４が形成されている固定部４１と、摺動方向に沿って移動できるように摺動溝４１４に取り付けられているスイッチ４２を有している。
【００１３】
係合ユニット４の固定部４１は下バッグユニット１の収容空間６の反対側にある外周面に固定されている環状枠４１１と環状枠４１１から収容空間６の反対側である外側へ突起する設置座４１２と、を有するように形成されており、摺動溝４１４は設置座４１２に形成されている。
【００１４】
係合ユニット４の固定部４１には、環状枠４１１に固定されているグリップ５が更に形成されており、使用者は必要に応じて、グリップ５を用いてゴルフバッグを持ち上げることができる。
【００１５】
更に、図３は同実施形態を示す平面図であり、図３では同実施形態における係合ユニット４が示されている。図３に示されるように、係合ユニット４は、スイッチ４２の摺動方向に沿った移動に連動して収容空間６側へ移動して、上バッグユニット２に当接することにより、上バッグユニット２の下バッグユニット１に対する上下方向における相対移動を制限することができるように構成された係合ブロック４３を有している。
【００１６】
更に、図４は同実施形態を示す断面図であり、図４では同実施形態における上バッグユニット２の下バッグユニット１に対する固定方法が示されている。図３及び図４に示されるように、係合ユニット４の環状枠４１１には、設置座４１２に対応する箇所において、収容空間６側に向かって開口する複数の係合開口を有すると共に、係合開口から摺動溝４１４まで延伸する複数の係合孔４１３が形成されており、それぞれ一つの係合ブロック４３が係合孔４１３内に配置され、且つ、スイッチ４２の摺動方向に連動して、係合ブロック４３が係合孔４１３内において収容空間６側へ移動し、係合開口から突出して上バッグユニット２に当接することにより、上バッグユニット２の下バッグユニット１に対する上下方向における相対移動を制限することができるように構成されている。
【００１７】
スイッチ４２には、摺動方向に斜交する斜面になっている作動面４２１が形成されており、係合ブロック４３には、作動面４２１に当接し、スイッチ４２が摺動方向に沿って移動する際、作動面４２１により押し動かされて、係合開口の側へ移動する受動面４３１が形成されている。
【００１８】
つまり、係合ブロック４３は、スイッチ４２が摺動方向に沿って移動する力を、内側にある収容空間６に向かって押す力へと変換し、図４のように係合ブロック４３は、係合孔４１３内において収容空間６側へ移動し、係合開口から突出して上バッグユニット２に当接することにより、上バッグユニット２を固定することができる。
【００１９】
このようにして、上バッグユニット２を適切な高さに固定し、且つ、使用者は上バックユニット２を支えなくても落下せず、一定の高さに保つことができ、蓋ユニット３が、ゴルフクラブによる衝撃により、破損することを避けることができる。
【００２０】
更に、図５は同実施形態を示す平面図であり、図５では同実施形態における係合ユニット４の変化例が示されている。図５に示されるように係合ユニット４は、スイッチ４２と、係合ブロック４３と、環状枠４１１と、係合孔と、を有しているが、図３と異なるのは、設置座４１２の数が一つのみであるという点である。このような実施形態では、設置座４１２及び該設置座４１２に配置される係合ブロック４３の数はそれぞれ１個のみになるが、使用される部品の数が少なく、そして係合ブロック４３周りの構成次第により同等な固定力を発揮することは可能である。
【００２１】
上述のように、本考案のゴルフバッグは、スイッチ４２によって、係合ブロック４３が内側にある収容空間６に向かって突出するように伸び、上バッグユニット２に当接することにより、上バックユニット２を下バッグユニット１に対して適切な高さに固定し、上バッグユニット２が落下して、収容空間６内のゴルフクラブが傷つくことを避けることができる。
【００２２】
以上、本考案の具体例を詳細に説明したが、これは例示に過ぎず、実用新案登録請求の範囲を限定するものではない。実用新案登録請求の範囲には、以上に例示した具体例を変形、変更したものが含まれる。
【符号の説明】
【００２３】
７          従来のゴルフバッグ
８          ゴルフクラブ
７１        下バッグユニット
７２        上バッグユニット
７３        蓋ユニット
１          下バッグユニット
２          上バッグユニット
３          蓋ユニット
４          係合ユニット
４１        固定部
４１１      環状枠
４１２      設置座
４１３      係合孔
４１４      摺動溝
４２        スイッチ
４２１      作動面
４３        係合ブロック
４３１      受動面
５          グリップ
６          収容空間
【図１】
0003227996.tif 000003
【図２】
0003227996.tif 000004
【図３】
0003227996.tif 000005
【図４】
0003227996.tif 000006
【図５】
0003227996.tif 000007